(57)【特許請求の範囲】
【請求項１】
一回服用分の薬剤をそれぞれ収容する各収容部が行方向及び列方向に複数個ずつ並ぶように配置され且つ前記各収容部の互いに隣接するもの同士が接続部を介して連接されて成る収容部連接体を含み、前記各収容部は前記収容部連接体から分離可能に構成されている「お薬カレンダー」であって、
患者が、或る一日の中で薬剤を服用すべき複数の時間帯がそれぞれ来る毎に前記お薬カレンダー中の患者から見て最も下側の行の端部側の収容部又は最も上側の行の端部側の収容部を前記収容部連接体から分離する動作を当該行の全ての収容部が前記収容部連接体から分離されるまで順次繰り返し、さらに前記日の次の日以降も、前記の分離する動作を当該行の全ての収容部が前記収容部連接体から分離されるまで順次繰り返す動作をお薬カレンダー中の全ての収容部が無くなるまで順次繰り返すことが可能とされており、前記収容部連接体は、その下面側がシート状の背景物体に当接、近接して対向、粘着又は付着された状態で使用されるものであり、前記背景物体には、患者が或る１つの収容部を間違えて前記収容部連接体から分離させたとき当該間違えて分離した収容部を前記背景物体中の対応する元の位置に粘着等により付着された状態で保持するための付着部が備えられている、お薬カレンダー。
【請求項２】
一回服用分の薬剤をそれぞれ収容する各収容部が行方向及び列方向に複数個ずつ並ぶように配置され且つ前記各収容部の互いに隣接するもの同士が接続部を介して連接されて成る収容部連接体を含み、前記各収容部は前記収容部連接体から分離可能に構成されている「お薬カレンダー」であって、
患者が、或る一日の中で薬剤を服用すべき複数の時間帯がそれぞれ来る毎に前記お薬カレンダー中の患者から見て最も下側の行の端部側の収容部又は最も上側の行の端部側の収容部を前記収容部連接体から分離する動作を当該行の全ての収容部が前記収容部連接体から分離されるまで順次繰り返し、さらに前記日の次の日以降も、前記の分離する動作を当該行の全ての収容部が前記収容部連接体から分離されるまで順次繰り返す動作をお薬カレンダー中の全ての収容部が無くなるまで順次繰り返すことが可能とされており、前記収容部連接体は、その下面側がシート状の背景物体に当接、近接して対向、粘着又は付着された状態で使用されるものであり、前記背景物体には、前記収容部連接体中の各収容部に対応する部分に、各収容部の収容部連接体中の位置を示す情報、すなわち各収容部がそれぞれ対応する服薬の日付若しくは曜日及び朝、昼、夕若しくは就寝前などの服薬時間帯を示す文字、記号その他の情報が表示されている、お薬カレンダー。
【請求項３】
一回服用分の薬剤をそれぞれ収容する各収容部が行方向及び列方向に複数個ずつ並ぶように配置され且つ前記各収容部の互いに隣接するもの同士が接続部を介して連接されて成る収容部連接体を含み、前記各収容部は前記収容部連接体から分離可能に構成されている「お薬カレンダー」であって、患者が、或る一日の中で薬剤を服用すべき複数の時間帯がそれぞれ来る毎に前記お薬カレンダー中の患者から見て最も下側の行の端部側の収容部又は最も上側の行の端部側の収容部を前記収容部連接体から分離する動作を当該行の全ての収容部が前記収容部連接体から分離されるまで順次繰り返し、さらに前記日の次の日以降も、前記の分離する動作を当該行の全ての収容部が前記収容部連接体から分離されるまで順次繰り返す動作をお薬カレンダー中の全ての収容部が無くなるまで順次繰り返すことが可能とされており、特定の色又は模様を有する背景物体と対向又は当接するように配置されているお薬カレンダーと、
前記背景物体と前記お薬カレンダーを介して対向するように配置された撮像手段と、
前記お薬カレンダー又は撮像手段の近傍に配置され、患者に対し注意を喚起し又は服薬を促すメッセージその他の情報（音又は光を含む）を出力する出力部と、
服薬のため患者により１つの収容部が分離された後の収容部連接体又は背景物体の形状に関する情報を各服薬毎に区別して予め記憶しておく服薬後形状記憶手段と、
前記撮像手段からの服薬のため患者により１つの収容部が分離された後の収容部連接体又は背景物体の形状に関する情報と前記服薬後形状記憶手段からの前記情報とに基づいて、前記患者が必要な服薬を怠っているとき、前記出力部を制御する制御手段と、
を備えたお薬カレンダーを使用した患者服薬見守りシステム。
【請求項４】
前記制御手段はインターネットなどの公衆通信網に接続されたサーバーにより構成されており、前記撮像手段及び前記出力部は公衆通信網を介して前記サーバーに接続されている、請求項３に記載のお薬カレンダーを使用した患者服薬見守りシステム。
【請求項５】
患者側の前記撮像手段又はお薬カレンダーの近傍には、前記出力部の他に、表示手段、マイク、及び会話等要求信号入力部が配置されており、
調剤薬局、医療機関又は介護施設などの患者の保護者側には、撮像手段、表示手段、マイク、及び会話等要求信号入力部が配置されており、
前記制御手段は、前記撮像手段からのお薬カレンダー等の画像を前記保護者側の表示手段に送信するものであり、
前記制御手段は、前記患者側の信号入力部又は前記保護者側の信号入力部からの情報に基づき、前記患者側及び前記保護者側との間で前記各撮像手段からの画像及び前記各マイクからの音情報をリアルタイムに双方向で送受信させる機能をも有するものである、請求項４に記載のお薬カレンダーを使用した患者服薬見守りシステム。
【請求項６】
一回服用分の薬剤をそれぞれ収容する各収容部が行方向及び列方向に複数個ずつ並ぶように配置され且つ前記各収容部の互いに隣接するもの同士が接続部を介して連接されて成る収容部連接体を含み、前記各収容部は前記収容部連接体から分離可能に構成されている「お薬カレンダー」であって、患者が、或る一日の中で薬剤を服用すべき複数の時間帯がそれぞれ来る毎に前記お薬カレンダー中の患者から見て最も下側の行の端部側の収容部又は最も上側の行の端部側の収容部を前記収容部連接体から分離する動作を当該行の全ての収容部が前記収容部連接体から分離されるまで順次繰り返し、さらに前記日の次の日以降も、前記の分離する動作を当該行の全ての収容部が前記収容部連接体から分離されるまで順次繰り返す動作をお薬カレンダー中の全ての収容部が無くなるまで順次繰り返すことが可能とされている「お薬カレンダー」の個別製造システムであって、
未使用の錠剤シート（「錠剤」はカプセル剤を含む）及び／又は裸状の錠剤を保管する薬剤保管部と、
患者の一回服用分の薬剤をそれぞれ収容できる複数の凹部（薬剤の収容部となる部分）が縦及び横方向に複数個ずつ並ぶように配置されて成り、前記各凹部は、患者が服薬するときに当該服薬に対応する凹部だけを複数の各凹部が連接されて成る凹部連続体から分離できるように構成されているお薬カレンダー用の凹部連続体と、
患者の処方箋データに基づいて、前記患者の各一回服用分に対応する薬剤を、順次、前記薬剤保管部から取り出す取出手段と、
前記取出手段により順次取り出された各一回服用分を、それぞれ、前記凹部連続体中の各凹部であって処方箋に示された患者による多数回の服用に対応できるように格子状に多数並べられている各凹部内に、順次、移動させる移動手段と、
を備えたお薬カレンダー個別製造システム。
【請求項７】
前記取出手段は、前記取り出す過程で前記薬剤保管部に保管された錠剤シートから内部の錠剤を除包し、この除包して得られた裸状の錠剤から成る各一回服用分を、順次、前記移動手段に供給するものである請求項６に記載のお薬カレンダー個別製造システム。
【請求項８】
前記凹部連続体は、前記各凹部の上方にそれぞれ開口部が備えられており、
前記移動手段は、前記取出手段により取り出された各一回服用分を、順次、自らの内部に取り込み、自らの全部又は一部を前記凹部連続体中の未だ一回服用分が配置されていない凹部の上に移動させ、前記一回服用分を前記凹部の上方から前記開口部を介して前記凹部内に落下又は移動させるものである請求項６又は７に記載のお薬カレンダー個別製造システム。
【請求項９】
前記一回服用分が内部に移動され配置された後の前記凹部の開口部を、前記一回服用分の薬剤が外部に出ないように閉塞する閉塞手段をさらに備えた請求項６から８までのいずれかに記載のお薬カレンダー個別製造システム。
【発明の詳細な説明】
【技術分野】
【０００１】
本発明は患者が毎日の朝昼夕（又は朝昼夕夜）の服薬を各一回服用分毎に容易に管理することができる「お薬カレンダー」（患者が各一回服用分ずつを服用できるように各一回服用分ずつの薬剤を収容する収容部をカレンダーのように配置したもの）、及びこのような「お薬カレンダー」を使用した服薬見守りシステム、及びこのような「お薬カレンダー」の個々の患者に適合した個別製造システムに関する。
【背景技術】
【０００２】
従来より、図１４に示すような服薬管理用ケース（お薬カレンダー用のケース）が提案又は市販されている（特許文献１）。この服薬管理用ケースは、図１４に示すように、各一回服用分の薬剤（裸状の錠剤が包装され一包化された一回服用分でもよいし、一回服用分に対応するだけの分量に切断された各ＰＴＰシートに入れられた状態の薬剤などから成る一回服用分でもよい）を収容可能な各区画（ポケット）が縦又は横方向に少なくとも１週間分の７個ずつ及び横又は縦方向に少なくとも朝、昼及び夕の３個（又は朝、昼、夕及び夜の４個）ずつ並べられ平面が図示のようにユーザーから見て縦方向（上下方向）に壁などに吊り下げられて配置されるケース（硬いプラスチック製ケースでもよいし、柔らかい布製や樹脂フィルム製のケースでもよい）である。
【先行技術文献】
【特許文献】
【０００３】
【特許文献１】特開２００２−２８２３３７号公報
【発明の概要】
【発明が解決しようとする課題】
【０００４】
確かに、上記のような従来の服薬管理用ケースを使用したお薬カレンダーは、患者が毎日の朝昼夕（場合により夜も）に服薬するのを忘れ難くし且つ一回服用分を取り出し易くするという利便性を有していた。
【０００５】
しかしながら、このような従来のお薬カレンダーは、全体の寸法が大きいので患者が全体を携帯することは難しく、他方、患者が当面必要な一回服用分の薬剤だけを取り出して携帯し又は管理することが難しいという問題があった。また、従来のお薬カレンダーはカレンダー形式に各一回服用分が並んでいるので、患者にとって各回の服薬を管理し易いメリットはあるが、あくまで患者が自分で管理し易いというだけで、患者の保護者などの他人が患者の服薬を見守ることができないという問題があった。さらに、従来のお薬カレンダーは、薬局の薬剤師、介護士又は患者自身が各一回服用分の錠剤（例えば一包化されたもの）を各区画（ポケット）にそれぞれ手作業で入れていく必要があるため、手間がかかるだけでなく、薬剤師でない患者、近親者や介護士が薬を間違えてお薬カレンダーのポケット中に入れてしまうなどのリスクがあるという問題があった。
【０００６】
本発明はこのような従来技術の問題点に着目して為されたものであって、患者が当面必要な一回服用分の薬剤だけを容易に取り出して携帯したり管理したりすることができ且つ薬剤師でない患者、近親者や介護士が薬を間違えてお薬カレンダーのポケット中に入れてしまうなどのリスクを無くすことができるお薬カレンダーを提供することを目的とする。また、本発明は、患者が自らの服薬を自分で管理するだけでなく患者の保護者などの他人も患者の服薬を見守ることが容易にできるお薬カレンダーを使用した患者の服薬見守りシステムを提供することを目的とする。さらに、本発明は、薬局の薬剤師又は患者が各一回服用分の錠剤をお薬カレンダー中の各ポケットなどに自分で入れる作業をする必要がなく個々の各患者に適合したお薬カレンダーを個別に自動的に製造することができるお薬カレンダー個別製造システムを提供することを目的とする。
【課題を解決するための手段】
【０００７】
本発明によるお薬カレンダーは、一回服用分の薬剤をそれぞれ収容する各収容部が行方向及び列方向に複数個ずつ並ぶように配置され且つ前記各収容部の互いに隣接するもの同士が接続部を介して連接されて成る収容部連接体を含み、前記各収容部は前記収容部連接体から分離可能に構成されている「お薬カレンダー」であって、患者が、或る一日の中で薬剤を服用すべき複数の時間帯がそれぞれ来る毎に前記お薬カレンダー中の患者から見て最も下側の行の端部側の収容部又は最も上側の行の端部側の収容部を前記収容部連接体から分離する動作を当該行の全ての収容部が前記収容部連接体から分離されるまで順次繰り返し、さらに前記日の次の日以降も、前記の分離する動作を当該行の全ての収容部が前記収容部連接体から分離されるまで順次繰り返す動作をお薬カレンダー中の全ての収容部が無くなるまで順次繰り返すことが可能とされているものである。
【０００８】
また、本発明によるお薬カレンダーにおいては、前記各収容部は、患者が服薬するとき、当該服薬に対応する収容部だけを、複数の各収容部が接続部を介して連接されて成る収容部連接体から分離できるように、構成されていてもよい。
【０００９】
また、本発明によるお薬カレンダーにおいては、前記各収容部は、縦又は横方向に少なくとも１週間分の７個ずつ、並びに横又は縦方向に少なくとも朝、昼及び夕の３個ずつ並ぶように、互いに隣接するもの同士が連接されていてもよい。
【００１０】
また、本発明によるお薬カレンダーにおいては、前記接続部に、前記各収容部を互いに容易に分離可能とするためのミシン目又は切れ目などの分離用部分が形成されていてもよい。
【００１１】
また、本発明によるお薬カレンダーにおいては、前記各収容部は断面凹状に形成され、一回服用分が収容された前記各収容部の開口部は、容易に破断可能又は容易に引き剥がし可能なシートにより覆われていてもよい。なお、上記シートには、患者名、日付、コード（ＱＲコードなど）などが印刷されており、患者が薬を飲み忘れた場合に、薬局などで（又は患者自身がスマートフォンのバーコード読取機能などを使用して）前記コードを読み取ることにより、患者が飲み忘れた薬品名などが分かるようになっている。
【００１２】
また、本発明によるお薬カレンダーにおいては、前記シートは、前記各収容部が縦及び横方向に接続部を介して連接されて成る収容部連接体の上方側（各収容部の開口部側）の全体を覆うものであり、前記収容部連接体中の前記各収容部を除く接続部の上面側に対して固着又は粘着（引き剥がし不能に又は容易に引き剥がし可能に固着又は粘着）されていてもよい。
【００１３】
また、本発明によるお薬カレンダーにおいては、前記収容部連接体は、その下面（裏面）側がシート状の背景物体に当接、近接して対向、粘着又は付着された状態で使用されるものであり、前記背景物体には、患者が或る１つの収容部を間違えて前記収容部連接体から分離させたとき当該間違えて分離した収容部を前記背景物体中の対応する元の位置に粘着等により付着（粘着剤、吸盤、又は磁石等による付着）された状態で保持するための付着部（粘着剤、吸盤、又は磁石等）が備えられていてもよい。
【００１４】
また本発明によるお薬カレンダーにおいては、前記収容部連接体は、その下面（裏面）側がシート状の背景物体に当接、近接して対向、粘着又は付着された状態で使用されるものであり、前記背景物体には、前記収容部連接体中の各収容部に対応する各部分に、各収容部の収容部連接体中の位置を示す情報、すなわち各収容部がそれぞれ対応している服薬の日付若しくは曜日及び朝、昼、夕若しくは就寝前などの服薬時間帯を示す文字、記号その他の情報が表示されていてもよい。
【００１５】
また、本発明によるお薬カレンダーを使用した患者服薬見守りシステムは、患者の一回服用分の薬剤をそれぞれ収容する複数の収容部が縦及び横方向に複数個ずつ並ぶように配置され、前記各収容部は、患者が服薬するときに当該服薬に対応する収容部だけを複数の各収容部が接続部を介して連接されて成る収容部連接体から分離できるように構成されているお薬カレンダーであって、特定の色又は模様を有する背景物体（なお、この背景物体に粘着性を持たせることにより、患者が間違えて別の収容部を分離させても（例えば「昼」に服用すべき収容部を間違えて「朝」に分離してしまった場合でも）、当該の間違えて分離した収容部を元の位置に戻して前記背景物体に粘着・保持させることができるようにすることが望ましい。さらに、前記背景物体には、１回服用分ごとの各収容部と対応する部分に各収容部の位置コード（ＱＲコード、バーコードなど）その他の情報が印刷等で表示されていることが望ましい。）に対向又は当接するように配置されたお薬カレンダーと、前記背景物体と前記お薬カレンダーを介して対向するように配置された撮像手段と、前記お薬カレンダー又は撮像手段の近傍に配置され、患者に対し注意を喚起し又は服薬を促すメッセージその他の情報（音又は光を含む）を出力する出力部と、１つの収容部が服薬のため患者により分離された後の収容部連接体又は背景物体の形状に関する情報を各服薬毎に区別して予め記憶しておく服薬後形状記憶手段と、前記撮像手段からの１つの収容部が服薬のため患者により分離された後の収容部連接体又は背景物体の形状に関する情報と前記服薬後形状記憶手段からの前記情報とに基づいて、前記患者が必要な服薬を怠っているとき、前記出力部を制御する制御手段と、を備えたものである。
【００１６】
また、本発明によるお薬カレンダーを使用した患者服薬見守りシステムにおいては、前記制御手段はインターネットなどの公衆通信網に接続されたサーバーにより構成されており、前記撮像手段及び前記出力部は公衆通信網を介して前記サーバーに接続されていてもよい。
【００１７】
また、本発明によるお薬カレンダーを使用した患者服薬見守りシステムにおいては、患者側の前記撮像手段又はお薬カレンダーの近傍には、前記出力部の他に、表示手段、マイク、及び会話等要求信号入力部が配置されており、調剤薬局、医療機関又は介護施設などの患者の保護者側には、撮像手段、表示手段、マイク、及び会話等要求信号入力部が配置されており、前記制御手段は、前記撮像手段からのお薬カレンダー等の画像を前記保護者側の表示手段に送信するものであり、前記制御手段は、前記患者側の信号入力部又は前記保護者側の信号入力部からの情報に基づき、前記患者側及び前記保護者側との間で前記各撮像手段からの画像及び前記各マイクからの音情報をリアルタイムに双方向で送受信させる機能をも有するものであってもよい。
【００１８】
また、本発明によるお薬カレンダー個別製造システムは、未使用の錠剤シート（「錠剤」はカプセル剤を含む）及び／又は裸状の錠剤を保管する薬剤保管部と、患者の一回服用分の薬剤をそれぞれ収容できる複数の凹部（薬剤の収容部となる部分）が縦及び横方向に複数個ずつ並ぶように配置され、前記各凹部は、患者が服薬するときに当該服薬に対応する凹部だけを複数の各凹部が連接されて成る凹部連続体から分離できるように構成されているお薬カレンダー用の凹部連続体と、患者の処方箋データに基づいて、前記患者の各一回服用分に対応する薬剤を、順次、前記薬剤保管部から取り出す取出手段と、前記取出手段により順次取り出された各一回服用分を、それぞれ、順次、前記凹部連続体中の各凹部内に移動させる移動手段と、を備えたものである。
【００１９】
また、本発明によるお薬カレンダー個別製造システムにおいては、前記取出手段は、前記取り出す過程で前記薬剤保管部に保管された錠剤シートから内部の錠剤を除包し、この除包して得られた裸状の錠剤から成る各一回服用分を、順次、前記移動手段に供給するものであってもよい。
【００２０】
また、本発明によるお薬カレンダー個別製造システムにおいては、前記凹部連続体は、前記各凹部の上方にそれぞれ開口部が備えられており、前記移動手段は、前記取出手段により取り出された各一回服用分を、順次、自らの内部に取り込み、自らの全部又は一部を前記凹部連続体中の未だ一回服用分が配置されていない凹部の上に移動させ、前記一回服用分を前記凹部の上方から前記開口部を介して前記凹部内に落下又は移動させるものであってもよい。
【００２１】
また、本発明によるお薬カレンダー個別製造システムにおいては、前記一回服用分が内部に移動され配置された後の前記凹部の開口部を、前記一回服用分の薬剤が外部に出ないように閉塞する閉塞手段をさらに備えるようにしてもよい。
【発明の効果】
【００２２】
本発明に係るお薬カレンダーによれば、患者は、例えば毎日の朝、昼、夕（及び／又は就寝前）に服用するとき、当該服薬に対応する収容部だけを、複数の各収容部が接続部を介して連接されて成る収容部連接体から分離して、携帯し又は管理することができる。よって、本発明によれば、患者は、当面必要な一回服用分の薬剤だけをお薬カレンダーから容易に取り出して携帯したり管理したりすることが可能になると共に、薬剤師でない患者、近親者や介護士が薬を間違えてお薬カレンダーのポケット中に入れてしまうなどのリスクを無くすことができる。
【００２３】
特に、本発明に係るお薬カレンダーにおいて、前記接続部に、前記各収容部を互いに容易に分離可能とするためのミシン目（又は切れ目）などの分離用部分を形成するようにしたときは、患者は当面必要な一回服用分の薬剤だけを（前記収容部連接体から分離して）携帯したり管理したりすることが極めて容易にできるようになる。また、特に、本発明に係るお薬カレンダーにおいて、一回服用分の錠剤が配置された前記各収容部の開口部を、容易に破断可能又は容易に引き剥がし可能なシートで覆うようにしたときは、患者は、前記シートを自らの指などで容易に破断又は引き剥がして内部の一回服用分を取り出して服用することができる。また、特に、前記シートを、前記各収容部が縦及び横方向に接続部を介して連接されて成る収容部連接体の上方側（各収容部の開口部側）の全体を覆うものとしたときは、前記シートの前記収容部連接体への取り付け（固着）、すなわち前記シートの前記多数の各収容部の各開口部への取り付けの作業を、極めて効率的に行えるようになる。
【００２４】
また、本発明によるお薬カレンダーにおいて、前記収容部連接体（お薬カレンダー）を、その下面側がシート状の背景物体に当接、近接して対向、粘着又は付着された状態で使用されるものとし、前記背景物体に、患者が或る１つの収容部を間違えて前記収容部連接体から分離させたとき当該の間違えて分離した収容部を前記背景物体中の対応する元の位置に粘着等付着された状態で保持するための付着部を備えるようにしたときは、もし患者が或る１つの収容部を間違えて前記収容部連接体から分離させたときでも、当該間違えて分離した収容部を前記背景物体中の対応する元の位置に粘着等付着された状態で保持させておくことができるようになる。
【００２５】
また本発明によるお薬カレンダーにおいて、前記収容部連接体（お薬カレンダー）を、その下面側がシート状の背景物体に当接、近接して対向、粘着又は付着された状態で使用されるものとし、前記背景物体に、前記収容部連接体中の各収容部に対応する各部分に、各収容部の収容部連接体中の位置を示す情報、すなわち各収容部がそれぞれ対応している服薬の日付若しくは曜日及び朝、昼、夕若しくは就寝前などの服薬時間帯を示す文字、記号その他の情報を表示させるようにしたときは、例えば患者が或る１つの収容部を前記収容部連接体から分離させたが実際には服用しなかったとき、又は患者が或る１つの収容部を間違えて前記収容部連接体から分離して服用してしまったときなどに、そのような、分離させたが実際には服用しなかった収容部中の薬剤、又は間違えて前記収容部連接体から分離して服用してしまった収容部の薬剤を、後から薬剤師などの保護者側が容易に把握して対処することができるようになる。
【００２６】
また、本発明に係るお薬カレンダーを使用した患者服薬見守りシステムによれば、各患者の自宅等に配置されたお薬カレンダー（特定の色又は模様を有する背景物体と対向・当接するように配置されたお薬カレンダー）を使用して、遠隔地に居る患者の保護者側（調剤薬局、医療機関又は介護施設など）が、患者の服薬を容易に見守ることができるようになる。
【００２７】
特に、本発明に係るお薬カレンダーを使用した患者服薬見守りシステムにおいて、公衆通信網に接続された制御手段（例えばサーバーにより構成される制御手段）が患者側の信号入力部又は保護者側の信号入力部からの情報に基づき、前記患者側及び前記保護者側との間で前記各撮像手段からの画像及び前記各マイクからの音情報をリアルタイムに双方向で送受信させる機能をも有するようにしたときは、患者側と保護者側とで何時でもテレビ電話による会話等ができるようになる。
【００２８】
また、本発明に係るお薬カレンダー個別製造システムによれば、未使用の錠剤シート（「錠剤」はカプセル剤を含む）及び／又は裸状の錠剤を使用して、個々の各患者に適合したお薬カレンダーを、薬局の薬剤師又は患者が各一回服用分の錠剤（例えば一包化されたもの）を手作業でお薬カレンダー中の各ポケットなどに入れる作業をすることなく、自動的に製造することができるようになる。
【００２９】
特に、本発明に係るお薬カレンダー個別製造システムにおいて、前記移動手段が、未使用の錠剤シート（「錠剤」はカプセル剤を含む）及び／又は裸状の錠剤から前記取出手段により取り出された各一回服用分を、順次、自らの内部に取り込み、自らの全部又は一部を前記凹部連続体中の未だ一回服用分が配置されていない凹部の上に移動させ、前記一回服用分を前記凹部の上方から前記開口部を介して前記凹部内に落下又は移動させるようにしたときは、各一回服用分の前記凹部連続体中の各凹部への移動を極めて効率的に行うことができる。また、本発明に係るお薬カレンダー個別製造システムにおいて、前記一回服用分が内部に移動され配置された後の前記凹部の開口部を、前記閉塞手段により内部の薬剤が外部に出ないように閉塞するようにしたときは、各一回服用分の前記凹部連続体中の各凹部への移動を行った後の各凹部の開口部の閉塞までをも含めたお薬カレンダーの個別製造を極めて効率的に行えるようになる。
【図面の簡単な説明】
【００３０】
【図１】本発明の実施形態１に係るお薬カレンダーの表面側を示す斜視図である。
【図２】本発明の実施形態１に係るお薬カレンダーの裏面側を示す斜視図である。
【図３】本実施形態１を構成する部品となる凹部連続体の表面側を示す斜視図である。
【図４】本実施形態１を構成する部品となる凹部連続体の裏面側を示す斜視図である。
【図５】本実施形態１に係るお薬カレンダーの製造過程の一例を説明するための概略図である。
【図６】本実施形態１に係るお薬カレンダーの使用方法を説明するための概略図である。
【図７】本実施形態１に係るお薬カレンダーの使用方法を説明するための斜視図である。
【図８】本発明の実施形態２に係る患者の服薬見守りシステムを説明するための斜視図である。
【図９】本発明の実施形態２に係る患者の服薬見守りシステムの全体構成及び動作を説明するための概略図である。
【図１０】本発明の実施形態３に係るお薬カレンダー個別製造システムの全体構成を説明するための図である。
【図１１】本実施形態３の動作を説明するための図である。
【図１２】本発明の実施形態４に係るお薬カレンダー個別製造システムを説明するための図である。
【図１３】本発明の実施形態５に係るお薬カレンダーの個別製造システムを説明するための図である。
【図１４】従来より提案されている服薬管理用ケースの一例を示す図である。
【発明を実施するための形態】
【００３１】
〔第１の実施形態〕
以下、本発明の実施形態を図面を用いて説明する。図１は、本発明の実施形態１に係るお薬カレンダーを表面側から見た斜視図、図２は同裏面側から見た斜視図である。図１（表面側）において、１はお薬カレンダー（各収容部１ａが連接された収容部連接体）、１ａは前記お薬カレンダー１を構成するために互いに接続部（後述）を介して連接されている各収容部、１ｂは前記お薬カレンダー１から分離された収容部である。図１に示すように、前記お薬カレンダー１（収容部連接体）の上側には、患者の氏名、１週間分の日付と曜日、朝、昼、夕、就寝前（夜）の区別など、１週間分の各服用分・各服薬の区別を示す文字等（図形や画像でもよい）が印刷された紙製シート（図５の符号５参照）が固着されている（なお、図１に示す例では、試作段階での印刷ズレにより上下方向において８日分が印刷されているが、実際の商品化に際しては上下方向において７日分が印刷される）。
【００３２】
また図２（裏面側）において、１はお薬カレンダー（各収容部１ａの連接体）、１ａは前記お薬カレンダー１を構成するために互いに連接されている各収容部、１ｂは前記お薬カレンダー１（各収容部１ａの連接体）から分離された収容部、２は前記各収容部１ａを互いに接続する接続部、２ａは前記接続部２中の図示上下方向の略中央部に形成されたミシン目（又は切れ目）部、２ｂは前記接続部２中の図示左右方向の略中央部に形成されたミシン目（又は切れ目）部である。このミシン目（又は切れ目）２ａ，２ｂにより、各凹部３ａを前記凹部連続体３から容易に分離（切り離し）できるようになっている。
【００３３】
次に、図３，図４は、前記お薬カレンダー１（各収容部１ａの連接体）を製造するときの部品となる凹部連続体を示す斜視図で、図３は表面側から見た斜視図、図３は裏面側から見た斜視図である。図３，図４において、３ａは各凹部（前記各収容部１ａを構成する部分）、３は各凹部３ａが図示縦及び横方向に複数個（例えば、縦方向に１週間分の７個ずつ、横方向に朝、昼、夕、及び就寝前の４個ずつ）、格子状に並ぶように配置された凹部連続体である。この凹部連続体３は、例えば透明プラスチック製で一体成型されている。また、前記凹部連続体３には、互いに隣接する各凹部３ａを互いに接続する接続部２が図示上下左右に格子状に配置されるように、前記各凹部３ａと一体成型されている。前記接続部２には、その略中央部分にミシン目（又は切れ目）２ａ，２ｂが図示上下左右に略格子状に形成されている。よって、患者は、このミシン目（又は切れ目）２ａ，２ｂに即して前記接続部２の略中央部分を切り離すことにより、これから服用する分（１回服用分）の薬剤が収容された凹部３ａだけを、前記凹部連続体３から容易に分離することができる。なお、図３，図４において、４は、後述の台紙（台座）にピンなどで前記お薬カレンダー１を取り付けるときに使用される、ピンを挿入等するためのピン穴である。
【００３４】
次に図５を参照して本実施形態１に係るお薬カレンダーの製造過程について説明する。まず、図５（ａ）に示すような凹部連続体３を用意する。この凹部連続体３には、各凹部３ａが、接続部２を介して、例えば平面視縦方向に１週間分の計７個ずつ、平面視横方向に朝、昼、夕、及び就寝前の計４個ずつ、全体として格子状に並ぶように配置されている。前記凹部連続体３は、前記各凹部３ａと接続部２とが透明プラスチックなどで一体的に形成されて成るものである。前記各凹部３ａには、前記凹部３ａの内部の空洞部３ａａと、前記空洞部３ａａに外部の上方から薬剤を入れるための開口部３ａｂが備えられている。
【００３５】
次に、図５（ｂ）に示すように、前記凹部連続体３中の各凹部３ａ中に（前記空洞部３ａａ中に）、各一回服用分の薬剤１０を前記開口部３ａｂから入れる（落下させる）。この各一回服用分の薬剤１０を前記開口部３ａｂから入れる作業は、薬剤師などが手作業で行ってもよいし、コンピュータを使用した製造システム（実施形態３として後述する）により自動的に行ってもよい。
【００３６】
次に、図５（ｃ）に示すように、前記凹部連続体３の上方に、前記各凹部３ａの開口部３ａｂを閉塞する（覆う）ためのシート５を用意する。前記シート５は例えば紙製である。前記シート５の上面には、予め、当該患者の各服薬回数に応じて、日付、曜日、朝、昼、夕、就寝前の別が印刷等で表示されている。また前記シート５には、その下面の前記接続部２に対向する部分のみに接着（固着）用の粘着部５ａ（糊、両面テープなど）が付着されている。なお、前記糊、両面テープなどによる接着に代えて、熱接着、熱溶着により付着（固着）させるようにしてもよい。
【００３７】
最後に、図５（ｄ）に示すように、前記シート５の粘着部５ａを前記接続部２の上面に粘着させる（貼り付ける）ことにより、前記凹部３ａの開口部３ａｂを前記シート５で塞ぐ。以上により、当該患者のためのお薬カレンダーが製造される。
【００３８】
次に本実施形態１に係るお薬カレンダー１の使用方法について図６を参照して説明する。お薬カレンダー１は、例えば、患者宅の壁に予め取り付けられた例えば黒色の台紙（台座）１１に対して、ピン穴４に挿入されたピン（図示省略）などで取り付けて（又は後述のように台紙１１の粘着面に付着又は貼り付けて）使用する。図６において（ａ）は、当該患者がお薬カレンダー１を未だ使用していない状態を示している。同（ｂ）は、当該患者がお薬カレンダー１を薬剤の服用のため１回だけ使用した後の状態（収容部３ａを１回だけ分離してその内部の薬剤を服用した後の状態）を示している。この同（ｂ）の状態では、図示左下の１個の収容部１ａだけが他の収容部連接体（お薬カレンダー１）から分離されており、その結果、同（ｂ）の符号１１ａで示す部分（収容部１ａの１個分）に台紙（台座）１１の黒色が露出している。
【００３９】
また同（ｃ）は、当該患者がお薬カレンダー１を薬剤の服用のため計２回だけ使用した後の状態（収容部３ａを計２回だけ分離してそれらの内部の薬剤を服用した後の状態）を示している。この同（ｃ）の状態では、図示左下の計２個の収容部１ａが収容部連接体（お薬カレンダー１）から分離されており、その結果、同（ｃ）の符号１１ａで示す部分（収容部１ａの計２個分）に台紙（台座）１１の黒色が露出している。
【００４０】
次に、図７は前記患者が収容部連接体（お薬カレンダー１）から分離した１つの収容部１ａを示す図で、同（ａ）はそれを裏面側から見たときの斜視図、同（ｂ）はそれを表面から見たときの斜視図である。患者は、前記分離した収容部１ａを、例えば同（ｃ）に示すように、前記接続部２に固着されているシート５の前記粘着部５ａ（図５の（ｃ）及び（ｄ）参照）の部分を剥がすことにより、前記収容部１ａ（前記凹部３ａ）の開口部３ａｂを開口させて、そこから前記収容部１ａ内に収容されている薬剤を取り出すことができる。また、患者は、上記のシート５を剥がす方法によらず、前記シート５の略中央を指などで破断し、その破断された部分から前記収容部１ａ内に収容された薬剤を取り出すようにしてもよい。
【００４１】
なお、本実施形態１では、前記台紙１１（シート状の背景物体）の表面に着脱が容易な粘着剤等を塗布するように（吸盤で吸着するか又は磁化するか複数の磁石を配置するなどしてもよい）し、前記凹部連続体３（収容部１ａの連接体であるお薬カレンダー１）の下面（裏面）側が前記台紙１１の表面に粘着等付着された状態で使用されるようにしてもよい。このようにしたときは、もし患者が或る１つの収容部１ａを間違えて前記凹部連続体３（収容部１ａの連接体であるお薬カレンダー１）から分離させてしまったときでも、当該の間違えて分離した収容部１ａを前記台紙１１中の対応する元の位置に粘着等付着させた状態で前記元の位置にそのまま保持させておくことができる。
【００４２】
また、本実施形態１では、前記収容部１ａの連接体であるお薬カレンダー１を、その下面（裏面）側が前記台紙１１（シート状の背景物体）の表面に当接、近接して対向、粘着又は付着された状態で使用されるものとし、且つ前記台紙１１中の前記お薬カレンダー１中の各収容部１ａに対応する各部分に、各収容部１ａのお薬カレンダー１（収容部連接体）中の各位置を示す情報、すなわち各収容部１aがそれぞれ対応している服薬の日付若しくは曜日及び朝、昼、夕若しくは就寝前などの服薬時間帯を示す文字、記号（バーコード、ＱＲコードなど）その他の情報を表示させるようにしてもよい。このようにしたときは、例えば患者が或る１つの収容部１ａをお薬カレンダー１から分離させたが実際には服用しなかったとき、又は患者が或る１つの収容部１ａを間違えてお薬カレンダー１から分離して服用してしまったときなどでも、そのような、分離させたが実際には服用しなかった収容部１ａ中の薬剤、又は間違えてお薬カレンダー１から分離して服用してしまった収容部１ａの薬剤などを、後から、薬剤師などの保護者側が容易に把握して対処することができるようになる。
【００４３】
〔第２の実施形態〕
次に、前記実施形態１で説明したお薬カレンダー１を使用した患者の服薬見守りシステムについて図８，図９を参照して説明する。図８は患者宅でのお薬カレンダー１の設置状態の一例を示すものである。図８の例では、お薬カレンダー１は、室内の側壁に取り付けられた例えば黒色の台紙１１の上に、ピンなどで固定されている。
【００４４】
次に図９は本実施形態２による患者服薬見守りシステムの構成及び動作の一例を説明するための図である。図９（ａ）において、２０は患者宅の側壁、２１は前記側壁２０に取り付けられた台紙（例えば黒色）１１及びお薬カレンダー１と対向するように配置されたタブレット端末、２３はこのタブレット端末２１が置かれる載置台、２２は前記タブレット端末２１をインターネット２４に接続するためのルーターなどで構成される送受信部、２５は患者服薬見守りシステムのサービスを提供する事業者が運営するサーバー、２７は調剤薬局などの患者の保護者側に設置されたパソコン（パソコンに限られずタブレット端末その他の端末でもよい）、２６は前記パソコン２７をインターネット２４に接続するためのルーターなどで構成される送受信部である。前記タブレット端末２１は、図９（ｄ）のように、カメラ２１ａ、マイク２１ｂ、スピーカ２１ｃ、及びディスプレイ２８などを備えている。
【００４５】
本実施形態２では、前記タブレット端末２１から、所定時間毎に（例えば当該患者が服薬すべき時間帯になる毎に）、カメラ２１ａで撮像された前記台紙１１及びお薬カレンダー１の画像がインターネット２４経由でサーバー２５に送信される。前記サーバー２５で受信され保存された画像は保護者側（調剤薬局、医療機関、又は介護施設など）に設置されたパソコン２７（前記サーバー２５から閲覧許可されたパソコン）から常時閲覧可能となっている。
【００４６】
また、前記サーバー２５には、予め当該患者の服薬管理情報、例えば当該患者の各回の服薬に対応して各収容部１ａがそれぞれ分離された後（服薬された後）の当該お薬カレンダー（収容部連接体）１の形状及び／又は当該台紙１１（背景物体）の形状を記憶しておく服薬後形状記録部と、当該患者宅のタブレット端末２１からのお薬カレンダー１及び／又は台紙１１の画像と前記服薬後形状記録部からの情報とを比較して当該患者が必要な服薬を怠っていると判断したとき前記タブレット端末２１のスピーカ２１ｃ又はディスプレイ２８などの出力部を制御して服薬を促すメッセージなどを出力する服薬支援プログラムと、が備えられている。
【００４７】
また本実施形態２では、前記患者側のタブレット端末２１と前記保護者側のパソコン（又はタブレット端末などの端末）２７とにはそれぞれサーバー２５が提供するテレビ電話システム（前記患者側及び前記保護者側との間で前記各カメラ２１ａからの画像及び前記各マイク２１ｂからの音情報をリアルタイムに双方向で送受信させるシステム）を利用するためのアプリケーションフソトが導入されている。よって、前記患者側のタブレット端末２１と前記保護者側のパソコン（又はタブレット端末などの端末）２７との間では、例えば一方が呼び出しを行い他方がそれを受けたときは直ちにサーバー２５を介してテレビ電話が行える状態に移行されるようになっている。
【００４８】
次に本実施形態２の動作を説明する。本実施形態２では、前記タブレット端末２１は、所定時間毎に（例えば当該患者の予め決められている各服薬時刻の前後に）、前記台紙１１及びお薬カレンダー１をカメラ２１ａ（図９（ｄ）参照）で撮像し、その撮像した画像をインターネット２４経由でサーバー２５に送信する。前記サーバー２５では、前記患者側から送られてきた当該お薬カレンダー１の形状及び／又は当該台紙１１（黒色部分）の形状を示す画像と、自ら（前記服薬後形状記録部）が記憶している当該患者の各回の服薬に対応する各収容部１ａが分離された後（服薬された後）の当該お薬カレンダー１の形状及び／又は当該台紙１１（黒色部分）の形状とを比較することにより、当該患者が当該服薬時刻に適正に服薬したか否かを判定する。すなわち、サーバー２５は、もし前記画像が当該服薬後のお薬カレンダー１の形状又は当該服薬後の台紙１１（黒色部分）の形状と合致していれば（例えば図９（ｂ）に示す状態）当該患者が適正に服薬したと判定し、合致していなければ（例えば図９（ｃ）に示す状態）適正に服薬していないと判定する。前記サーバー２５は、当該患者が適正に服薬していないと判定したときは、インターネット２４経由で前記タブレット端末２１を制御し、前記タブレット端末２１のスピーカ２１ｃから「お薬の時間です」などの音声メッセージを出力させる（その他、ディスプレイ２８での文字、画像又は図形の表示、光の出力などにより患者側へのメッセージなど注意喚起等のためのアラームを発生させるようにしてもよい）。
【００４９】
またサーバー２５は、前述のように当該患者が適正に服薬していないと判定したときは、そのことを示す情報を保護者側のパソコン２７に送信する。前記情報を受けた保護者側においては、例えばその薬剤師は、前記情報をパソコン２７で確認した後、例えばパソコン２７の画面中のテレビ電話機能を開始させるボタンを押し、サーバー２５経由で患者側を呼び出す。これにより、保護者側は、患者側がタブレット端末２１の画面中のテレビ電話を承諾するボタン（図９（ｄ）の符号２８ｄ参照）を押すことを待って、両者間でテレビ電話を開始し（図９（ｄ）の符号２８ｂ，２８ｃ参照）、保護者側から患者側への服薬支援等を行うことができる。
【００５０】
なお、以上の説明では、患者が各回毎の服薬を怠っているかどうかの判定及び怠っている場合のメッセージその他のアラームの発生のために、前記服薬後形状記録部及び服薬支援プログラムをサーバー２５側に備え、サーバー２５側から患者側のタブレット端末２１を遠隔制御するようにしたが、本発明においては、以上と異なって、前記服薬後形状記録部及び服薬支援プログラムを前記サーバー２５ではなく患者宅内のタブレット端末２１に直接備えるようにしてもよい。
【００５１】
〔第３の実施形態〕
次に、前記実施形態１に係る各患者用のお薬カレンダーを、個々の患者の処方箋データなどに基づいて、薬剤シート（ＰＴＰシート）を使用して、個別に且つ自動的に製造するシステムについて、説明する。
【００５２】
図１０は調剤薬局などに設置されるお薬カレンダー個別製造システムの全体構成を示す概略図である。図１０において、３１は患者の処方箋情報を読み取る処方箋読取部（スキャナ及び文字認識装置）、３２は前記処方箋読取部３１からの情報に基づいて前記患者の一回服用分に対応する薬剤の情報を取得するなどの動作を行う、パコソンなどで構成される制御部、３３は複数銘柄のＰＴＰシート３４を各銘柄毎に別々に複数枚ずつ収容・保管しておく薬剤保管部、３５は前記制御部３２からの情報に基づいて前記薬剤保管部３３中の複数枚又は１枚のＰＴＰシート３４から前記患者の一回服用分に対応する複数銘柄の錠剤を順次取り出す取出除包部である。前記取出除包部３５は、前記薬剤保管部３３から、対応する銘柄のＰＴＰシート３４を順次引き出して除包し中身の裸状の錠剤３４ａ（図１１参照）を取り出す機構により構成されている。なお複数の種類（銘柄）のＰＴＰシートをそれぞれ複数枚ずつ保管する箱の中から患者の一回服用分に対応する銘柄の１枚のＰＴＰシートを引き出す機構、及び当該引き出した１枚のＰＴＰシート中の一つのドーム状凸部（ポケット）を上方から押し出し除包して中身の裸状の錠剤を取り出す機構は、いずれも従来より公知であるので詳細な説明は省略する。
【００５３】
また図１０において、３６は前記取出除包部３５により取り出された複数個の裸状の錠剤３４ａを順次受け入れて自らの底蓋３６ａ上に集めるホッパーである。前記ホッパー３６の底蓋３６ａは、前記制御部３２からの信号に基づいて所定のタイミングで開閉して自らの中央部分に開口部を形成可能な開閉機構（図示省略。例えば複数枚のシャッター羽根を円形状に組み合わせて成る絞り開閉シャッターなどから成る開閉機構）を備えている。
【００５４】
また図１０において、３９は、患者が毎日・毎回の服薬管理を行い易いように、各一回服用分毎の複数銘柄（複数種類）及び複数個の薬剤を、それぞれ別々の凹部３９ａ（一回服用分の薬剤の収容部となるもの）内に配置可能な凹部連続体である。この凹部連続体３９は、前記実施形態１で説明した凹部連続体３（図３、図４、図５参照。お薬カレンダー１を構成する部品の１つ）と同様のものである。前記凹部連続体３９は、患者の一回服用分を構成する複数銘柄及び複数個の裸状の錠剤３４ａをそれぞれ配置可能な各凹部３９ａが、例えば縦方向に１週間分の計７個ずつ及び横方向に少なくとも朝、昼及び夕の計３個ずつ又はこれらに就寝前を含めた計４個ずつ並ぶように形成されている。前記凹部連続体３９の各凹部３９ａの上方は錠剤を出し入れ可能な開口部となっている。
【００５５】
また図１０において、３７は、前記制御部３２からの出力に基づいて、前記ホッパー３６の底蓋３６ａ上に集められた一回服用分を構成する複数個の裸状の錠剤３４ａを、前記底蓋３６ａの中央部分が開閉機構により開かれたタイミングで自らの容器（上方が開口部となっている容器）３７ａ内に受け入れ、前記凹部連続体３９中の各凹部３９ａのいずれかの上まで移動する移動部である。また３７ｂは、前記ホッパー３６から落下・移動した裸状の錠剤３４ａが前記容器３７ａ内で載置される底蓋であって、前記制御部３２からの信号に基づいて所定のタイミングで中央部分が開閉する開閉機構（図示省略。例えば複数枚のシャッター羽根を円形状に組み合わせて成る絞り開閉シャッターなどから成る開閉機構）を備えた底蓋、３８は前記移動部３７を凹部連続体３９中の各凹部３９ａの上まで順次移動させる移動機構である（なお、前記移動機構３８の構成については、対象物を把持したアームで対象物を複数の場所に自在に駆動する産業用ロボットなど、公知の技術で容易に実現可能であるので説明を省略する）。
【００５６】
また、図１０において、４５は前記凹部連続体３９の各凹部３９ａの全てに一回服用分の薬剤がそれぞれ移動配置されたとき、前記各凹部３９ａ内の画像（前記凹部連続体３９全体の画像でもよい）を取得して前記制御部３２に送信するカメラである。また、図１０において、４６は前記制御部３２からの信号に基づいて音、振動、画像又は光などから成る所定のアラームを発生するアラーム発生部、４７は複数種類（複数銘柄）の薬剤毎にその形状（各銘柄を示す刻印の形状を含む）や色などの情報を記録しておく薬剤データベース、４８は前記凹部連続体３９の各凹部３９ａの上方の各開口部を内部の薬剤が排出されないように閉塞する閉塞機構である。
【００５７】
なお、本実施形態３において、前記凹部連続体３９の各凹部３９ａの底部（裸状の錠剤３４ａが配置される部分）は、裸状の錠剤３４ａとのコントラストが大きな色、例えば黒色に形成（着色等）されており、これにより、前記制御部３２が、前記カメラ４５が取得する画像から、各裸状の錠剤３４ａの数及び形状（各銘柄を示す刻印の形状などを含む）を正確に認識できるようにしている。
【００５８】
前記制御部３２は、前記カメラ４５から受信した凹部連続体３９の画像（又は各凹部３９ａ内の画像）から、公知の画像認識技術により凹部連続体３９中の各凹部３９ａ内に配置された複数の裸状の錠剤３４ａの数及び形状又は銘柄（裸状の錠剤の表面に形成された、錠剤の銘柄を示す刻印）などの情報を取得する。そして、前記制御部３２は、前記取得した各凹部３９ａ内に配置された複数の裸状の錠剤３４ａの数及び形状又は銘柄などの情報と、前記処方箋読取部３１からの処方箋情報及び薬剤データベース４７からの情報から得られる前記患者の一回服用分の薬剤の数及び形状又は銘柄などの情報とを比較し、もし両者が一致しないときは、前記アラーム発生部４６を制御して所定のアラームを発生させる。
【００５９】
他方、前記制御部３２は、前記比較の結果、前記凹部連続体３９中の各凹部３９ａ内の一回服用分の薬剤の数や形状又は銘柄などの情報と処方箋情報から得られる一回服用分の薬剤の数や形状又は銘柄などの情報とが一致するときは、前記凹部連続体３９中の各凹部３９ａ内に一回服用分の薬剤が適正に配置されていると判断し、前記閉塞機構４８を制御して、前記凹部連続体３９中の各凹部３９ａの上方の各開口部の全てを、内部の薬剤が出ないように閉塞させる。これにより、凹部連続体３９中の各凹部３９ａから内部の薬剤が容易に外部に出てしまうことが防止される。
【００６０】
この場合の前記閉塞機構４８による閉塞は、例えば所定の閉塞用のシート（フィルムを含む）を前記凹部連続体３９中の全ての凹部３９ａの上方に一度に付着させ又は貼り付けることなどの方法により、行われる（なお、前記閉塞機構４８の構成については、例えば食品を収容した多数個のトレイの上に順次ラップフィルムを自動的に付着させて行く産業用ロボットなど、従来より公知の技術で実現可能なので説明を省略する）。この場合の閉塞のために使用される閉塞用シートとしては、例えばパラフィン紙、グラシン紙、又は食品用ラップフィルムなど様々な素材のシート（フィルムを含む）を使用できる。また、前記閉塞用シートは、患者が指などで各凹部３９ａ毎に穴を容易に開けて内部の一回服用分の薬剤を取り出せるようなものであってもよい。また、このような閉塞シートとして、各凹部３９ａの開口部に対応する各位置に、患者が薬剤取出し用の穴を容易に開けられるミシン目（又は切れ目）を予め形成したシートを使用するようにしてもよい。
【００６１】
次に本実施形態３の動作を図１０、図１１などを参照して説明する。今、患者が調剤薬局に処方箋を持ち込んで調剤を依頼したとすると、調剤薬局側では、処方箋読取部３１が当該処方箋を読み取り、この読み取られた処方箋情報が制御部３２に送られる。制御部３２は、この処方箋情報と前記薬剤データベース４７からの情報とに基づき、患者の一回服用分の薬剤の銘柄及び個数などの情報を取得する。その後、制御部３２は、前記の処方箋情報から取得された前記患者の一回服用分の薬剤の銘柄及び個数等の情報に基づき、前記取出除包部３５を制御して前記一回服用分の薬剤を取り出させる。具体的には、取出除包部３５は、図１１（ａ）に示すように、前記薬剤保管部３３から対応するＰＴＰシート３４中の１枚を引き出し（このようなＰＴＰシートの引き出し機構は公知である）、この引き出したＰＴＰシート３４中の１つの薬剤を、例えば上方から１つのドーム状凸部（ポケット）の中身を押し出す方法などにより除包し（このようなＰＴＰシートから中身の錠剤を押し出して除包する機構は公知である）、この除包して得られた裸状の錠剤３４ａを、図示下方のホッパー３６内に落下させる。図１１（ａ）に示す例では、計５個の錠剤３４ａが一回服用分として、前記底蓋３６ａ上に載置されている。なお、前記取出除包部３５は、以上と同じ動作を、当該一回服用分を構成する全ての錠剤３４ａを取り出すまで、順次、繰り返し、これにより、一回服用分を構成する全ての錠剤３４ａが、ホッパー３６の底蓋３６ａの上に集められる。
【００６２】
次に、制御部３２は、所定のタイミングで、ホッパー３６の底蓋３６ａに備えられた開閉機構（図示省略）を制御し、前記底蓋３６ａの中央部分を開口させる（図１１（ｂ）の符号３６ｃで示す開口部を参照）。すると、前記底蓋３６ａ上に集められていた一回服用分を構成する計５個の錠剤３４ａの全てが、前記開口部３６ｃから、下方の移動部３７の容器３７ａ内に落下する（図１１（ｂ）参照）。
【００６３】
次に、制御部３２は、移動機構３８を制御して、前記一回服用分（図１１（ｂ）に示す例では計５個の錠剤３４ａ）が容器３７ａ内に落下し配置された移動部３７を、凹部連続体３９中の未だ一回服用分が配置されていない凹部３９ａの上に移動させる（図１１（ｂ）の破線で示す矢印Ａ参照）。その後、制御部３２は、前記移動部３７の容器３７ａの底蓋３７ｂの開閉機構（図示省略）を制御してその中央部分を開口させる（図１１（ｂ）の３７ｃ’で示す開口部を参照）。これにより、前記移動部３７の容器３７ａの底蓋３７ｂ上に配置されていた一回服用分が、前記開口部３７ｃ’を介して、凹部連続体３９中の各凹部３９ａ内に落下・移動し、前記凹部３９ａ内に配置・収容される（図１１（ｂ）の符号３４ａ’参照）。なお、前記の取出除包部３５、移動機構３８及び移動部３７は、以上と同じ動作を、前記凹部連続体３９中の全ての各凹部３９ａ内にそれぞれ一回服用分が配置されるまで、順次、繰り返し、これにより、凹部連続体３９中の全ての各凹部３９ａ内に一回服用分が配置される。
【００６４】
次に、制御部３２は、以上のようにして全ての凹部３９ａ内に一回服用分が配置された凹部連続体３９の画像をカメラ４５から受信し、この画像に基づいて、前述のように、前記凹部連続体３９中の各凹部３９ａ内の一回服用分の薬剤の数や形状等の情報と処方箋情報から得られる一回服用分の薬剤の数や形状等の情報を比較し、一致するときは、前記凹部連続体３９中の各凹部３９ａ内に一回服用分の薬剤が適正に配置されたと判定し、前記閉塞機構４８を制御して、前記凹部連続体３９中の各凹部３９ａの上方の開口部の全てを、内部の薬剤が出ないように閉塞させる。他方、制御部３２は、前記凹部連続体３９中の各凹部３９ａ内の一回服用分の薬剤の数や形状等の情報と処方箋情報から得られる一回服用分の薬剤の数や形状等の情報とが一致しないときは、前記凹部３９ａ内への一回服用分の移動・配置が適正に行われなかったと判定し、前記アラーム発生部４６を制御してアラームを発生させる。
【００６５】
以上に説明したように、本実施形態３においては、制御部３２が、前記取出除包部３５を制御して、薬剤保管部３３から患者の各一回服用分を順次、除包しつつ取り出し、除包後の裸状の錠剤３４ａから成る一回服用分をホッパー３６に集めた後、前記移動部３７に落下・移動させ、この移動部３７内の一回服用分を、順次、前記凹部連続体３９中の各凹部３９ａ内に移動（落下・配置）させる。そして、前記制御部３２は、前記凹部連続体３９中の各凹部３９ａの全てについて上記処理が終了した後、前記閉塞機構４８を制御して前記各一回服用分が配置された各凹部３９ａの開口部をシート（フィルムを含む）などで閉塞する。本実施形態３では、前記閉塞用のシート（フィルムを含む）には、予め、患者が毎回の服用に便利なように、日付又は曜日、及び朝、昼、夕及び就寝前の各服薬の区別を示す文字等が印刷されている。
【００６６】
よって、本実施形態３によれば、前記各凹部３９ａ内の全てに一回服用分の薬剤がそれぞれ自動的に配置・収容されるので、患者は自らの毎回の服薬を容易に管理でき、前記各凹部３９ａ内の薬剤が外部に出てしまうことがなく、且つ容易に持ち運ぶことができる「お薬カレンダー」（前記凹部連続体３９中の各凹部３９ａ内の全てに一回服用分の薬剤がそれぞれ配置され且つ前記各凹部３９ａの開口部がシート５で閉塞されて成る、図１〜６などに示すお薬カレンダー１）を、自動的かつ効率的に作成することができる。
【００６７】
また、本実施形態３においては、特に、前記取出除包部３５が、前記薬剤保管部３３に保管された複数のＰＴＰシート３４中の１枚を引き出して内部の錠剤を除包して裸状の錠剤３４ａとして取り出すようにし、この裸状の錠剤３４ａを前記凹部連続体３９中の各凹部３９ａ内に配置するようにしたので、患者は毎回の服薬をより容易に行うことができる。
【００６８】
また、本実施形態３においては、前記凹部連続体３９中の各凹部３９ａの上方が開口され、前記移動部３７内の一回服用分の薬剤を、前記各凹部３９ａの上方から前記開口部を介して各凹部３９ａ内に落下させるようにしたので、前記取出除包部３５により取り出された各一回服用分の前記凹部連続体３９中の各凹部３９ａ内への移動及び配置を、極めて効率的に行えるようになる。
【００６９】
また、本実施形態３においては、前記カメラ４５が前記凹部連続体３９中の各凹部３９ａの全てに一回服用分が収容された後の各凹部３９ａの画像（又は凹部連続体３９全体の画像）を取得して制御部３２に送信するようにし、前記制御部３２側では、前記送信された画像から前記各凹部３９ａ内の薬剤の数及び形状又は銘柄等の情報を取得し、この情報と処方箋情報から得られた各一回服用分の薬剤の数及び形状又は銘柄等の情報とを比較することにより、前記各凹部３９ａ内に配置・収容された薬剤の適否を各凹部３９ａ毎に判定できるようにした。よって、本実施形態３では、前記取出除包部３５及び移動部３７による各一回服用分の前記各凹部３９ａへの移動及び配置が適正に行われたかどうかをコンピュータにより効率的に且つ正確に検査することができ、これによりその後に行われる薬剤師による正式な監査を有効に支援することができる。
【００７０】
また、本実施形態３においては、前記凹部連続体３９中の各凹部３９ａ内の裸状の錠剤３４ａが配置される底面を黒色（又は裸状の錠剤３４ａとのコントラストが大きい色）に形成したので、前記カメラ４５による前記凹部連続体３９中の各凹部３９ａ内の鮮明な画像の取得が可能になり、前記制御部３２による前記画像から前記各凹部３９ａ内の裸状の錠剤の数及び形状又は銘柄を正確に取得できるようになる。
【００７１】
〔第４の実施形態〕
次に本発明の実施形態４に係るお薬カレンダー個別製造システムを図１２を参照して説明する。本実施形態４は前記実施形態３と基本的構成が同一であるので、以下では異なる部分についてのみ説明する。
【００７２】
図１２（ａ）において、４２はホッパー４１（図１０の符号３６のホッパーと同じもの）の下方に配置される分配パイプである。この分配パイプ４２は、前記ホッパー４１の下側開口部４１ａから自重により落下する複数個の錠剤を、分配パイプ４２の上端部側の導入口４２ａから順次受け入れ、自らの内部を下降・通過させた後、下端部側の排出口４２ｂから凹部連続体４４中の各凹部４５ａ内に順次、排出、供給するものである。前記分配パイプ４２は、例えばゴムホースなどのような可とう性を有する管により構成されている。前記分配パイプ４２の下端部（排出口４２ｂ）は、移動機構（図１０の３８参照）により、凹部連続体４４中の全ての各凹部４５ａの上方に、順次、移動される（図１２（ａ）の矢印Ａ，Ｂ，Ｃなど参照）。
【００７３】
本実施形態４では、制御部３２（図１０参照）は、前記取出除包部３５（図１０参照）がＰＴＰシート３４から各一回服用分に含まれる錠剤３４ａを取り出す前に、前記分配パイプ４２の下端部（排出口４２ｂ）を、移動機構３８（図１０参照）により、凹部連続体４４中の各凹部４５ａの上方まで移動（水平移動）させる。そうすると、図１２（ａ）の符号４２に示すように、前記分配パイプ４２の上端の導入口４２ａは前記ホッパー４１の下側開口部４１ａに対向近接するように配置されたまま、前記分配パイプ４２の下端部側の排出口４２ｂ及びその近傍部分だけが前記凹部連続体４４中の各凹部４５ａ上に対向配置される。その上で、制御部３２は、前記取出除包部３５を作動させて、ＰＴＰシート３４から一回服用分に含まれる各錠剤３４ａを順次除包しつつ取り出し、順次、ホッパー４１内に落下させる。すると、このホッパー４１内に落下した裸状の錠剤３４ａは、順次、自重によりホッパー４１の底部（開口部４１ａ）から分配パイプ４２内を下降・通過し、分配パイプ４２の下端部の排出口４２ｂから凹部連続体４４中の各凹部４５ａ内に落下・移動する。制御部３２は、以上の動作を、前記凹部連続体４４中の全ての各凹部４５ａについて、順次、繰り返す（図１２の矢印Ａ，Ｂ，Ｃ、符号４２，４２’，４２’’、及び符号４５，４５ａ’，４５ａ’’などを参照）。これにより、前記凹部連続体４４中の全ての各凹部４５ａ内に、一回服用分の薬剤がそれぞれ配置される。
【００７４】
その後、制御部３２は、前述のようにして全ての各凹部４５ａ内に各一回服用分の薬剤が配置されると、前記閉塞機構４８（図１０参照）を制御して、前記凹部連続体４４中の全ての各凹部４５ａの上方の開口部に対して閉塞シートを付着又は貼り付ける。これにより、凹部連続体４４中の全ての各凹部４５ａが塞がれ、各凹部４５ａ（薬剤の収容部）から内部の薬剤が出てしまうことが防止される。
【００７５】
なお、本実施形態４では、前記分配パイプ４２の下端部（排出口４２ｂの近傍部分）の外周面側に、図１２（ｂ）に拡大して示すような跳ね防止板４３を備えるようにしている。前記跳ね防止板４３は、凹部連続体４４中の各凹部４５ａの上方に対向するように（例えば略リング状に）形成されている。この跳ね防止板４３により、図１２（ｃ）に示すように、前記分配パイプ４２の下端の排出口４２ｂから前記凹部連続体４４中の各凹部４５ａ内に落下した錠剤３４ａが前記凹部４５ａから斜め上方向に飛び跳ねて前記凹部４５ａの外に跳び出してしまうことが防止される（図１１（ｃ）の矢印α及びβを参照）。以上に説明したこと以外の構成及び作用効果については、前記実施形態３と同様である。
【００７６】
〔第５の実施形態〕
次に本発明の実施形態５に係るお薬カレンダー個別製造システムについて説明する。本実施形態５は前記実施形態４と基本的構成が同一であるので、以下では異なる部分についてのみ説明する。
【００７７】
本実施形態５では、前記実施形態４で説明した図１２の分配パイプ４２（可能とう性はあるが伸縮性のないパイプ）に代えて、図１３に示すように、蛇腹管又は弾性管などのような可とう性及び伸縮性を有する管から成る分配パイプ５２を採用している。このような分配パイプ５２を使用する場合は、前記移動機構３８が前記分配パイプ５２の下端部の排出口５２ｂを凹部連続体５４中の各凹部５５ａ上に順次移動させると、図１３の符号５２，５２’，及び５２’’に示すように、前記分配パイプ５２の上端の導入口５２ａは図示上方のホッパー５１の下側開口部５１ａに対向近接するように配置されたまま、前記分配パイプ５２中の下端の排出口５２ｂ及びその近傍部分だけがスムーズに前記各凹部５５ａ，５５ａ’，５５ａ’’の上を順次移動（水平移動）するようになる（図１３の矢印Ａ，Ｂ，Ｃ参照）。以上に述べたこと以外の構成及び動作については前記実施形態４と同様であるので説明を省略する。
【００７８】
以上、本発明の各実施形態について説明したが、本発明は前記の各実施形態１〜５として述べたものに限定されるものではなく、様々な修正及び変更が可能である。例えば、前記各実施形態１〜５においてはいずれも、お薬カレンダー（凹部連続体３と印刷された閉塞用シート５などにより構成されるもの）として、各収容部１ａ（各凹部３ａ）が１週間分の列又は行だけ及び朝昼夕（及び／又は就寝前）の行又は列だけ配列されたものとしたが、本発明では、上記の行及び列の数を変えて、全体として例えば２週間分又は１ヶ月分の各収容部１ａ（各凹部３ａ）を縦及び横方向に配列したものを１つのお薬カレンダーとして構成するようにしてもよいことは勿論である。また、前記実施形態１では、図６などに示すように、患者が各服用毎に必要な各収容部１ａを１個ずつお薬カレンダー１から分離する（取り外す）とき、図示下方（下端の隅）の収容部１ａから順に分離していくようにしたが、本発明では、例えばお薬カレンダー１の外周部に枠体を備え、この外周側の枠体の内部に全ての各収容部１ａを互いに容易に分離可能に且つ枠体とも容易に分離可能に配置することにより、患者が各服用毎に前記枠体内において上方の収容部１ａから順次分離していく（取り外していく）ようにしてもよい。また、前記実施形態３〜５では前記凹部連続体３９の各凹部３９ａ内に一回服用分の薬剤を配置した後に前記各凹部３９ａの開口部を自動的に閉塞する閉塞機構４８を備えるようにしたが、本発明では、前記閉塞機構４８を備えないで、例えば薬剤師の監査が行われた後などにおいて、薬剤師などが閉塞用シート（日付、曜日、朝、昼、夕の区別などが印刷されたもの）を使用して手作業で前記各凹部３９ａの上方開口部を閉塞するようにしてもよい。
【符号の説明】
【００７９】
１    お薬カレンダー
１ａ  収容部
２    接続部
２ａ，２ｂ   ミシン目（又は切れ目）
３    凹部連続体
３ａ  凹部
３ａａ 空洞部
３ａｂ 開口部
４    ピン穴
５，３４     閉塞用シート
５ａ  粘着部
１０  薬剤
１１  台紙
２０  側壁
２１  タブレット端末
２１ａ，４５ カメラ
２１ｂ マイク
２１ｂ 各マイク
２１ｃ スピーカ
２４  インターネット
２５  サーバー
２７  パソコン
２８  ディスプレイ
３１  処方箋読取部
３２  制御部
３３  薬剤保管部
３４ａ 錠剤
３５  取出除包部
３６  ホッパー
３６ａ 底蓋
３６ｃ 開口部
３７  移動部
３７ａ 容器
３７ｂ 底蓋
３７ｃ 開口部
３８  移動機構
３９，４４，５４   凹部連続体
３９ａ，４５ａ，５５ａ   凹部
４１，５１   ホッパー
４１ａ，５１ａ     下側開口部
４２，５２   分配パイプ
４２ａ，５２ａ     導入口
４２ｂ，５２ｂ     排出口
４３  跳ね防止板
４６  アラーム発生部
４７  薬剤データベース
４８  閉塞機構
【要約】
【目的】患者が当面必要な一回服用分の薬剤だけを容易に取り出して携帯したり管理したりすることができるお薬カレンダー、患者の保護者などが患者の服薬を見守ることが容易にできるお薬カレンダーを使用した服薬見守りシステム、並びに個々の各患者に適合したお薬カレンダーを個別に自動的に製造することができるお薬カレンダー個別製造システムを提供する。
【構成】患者の一回服用分の薬剤をそれぞれ収容する複数の収容部が縦及び横方向に複数個ずつ並ぶように配置され、前記各収容部は互いに隣接するもの同士が接続部を介して連接され、前記各収容部は互いに分離可能に構成されて成るお薬カレンダー、これを使用した服薬見守りシステム、並びに前記お薬カレンダーを個々の患者毎に個別製造できる製造システムである。
【選択図】    図１【図５】
0006035469.tif 000002
【図６】
0006035469.tif 000003
【図９】
0006035469.tif 000004
【図１０】
0006035469.tif 000005
【図１１】
0006035469.tif 000006
【図１２】
0006035469.tif 000007
【図１３】
0006035469.tif 000008
【図１４】
0006035469.tif 000009
【図１】
0006035469.tif 000010
【図２】
0006035469.tif 000011
【図３】
0006035469.tif 000012
【図４】
0006035469.tif 000013
【図７】
0006035469.tif 000014
【図８】
0006035469.tif 000015